(57)【要約】【課題】温蔵室を常に衛生的に保つ。【解決手段】温蔵庫１０は、本体１１の内部に画成した風路１４の内側に温蔵室１３を画成した２重箱構造に構成される。風路１４は、上部空間１７、左右の側部空間１８，１９および底部空間２０で構成される。上部空間１７は、仕切板２２で上分割路１７ａと下分割路１７ｂとに分割され、両分割路１７ａ，１７ｂは通孔部２３を介して連通する。上分割路１７ａに、送風機２４のファン２４ｂとヒータ２５が配置される。送風機２４の運転により下分割路１７ｂ側から上分割路１７ａ側に吸込んだ空気は、ヒータ２５に接触して加熱されて温風とされた後、右側部空間１８に流れ込む。この温風が、底部空間２０、左側部空間１９および下分割路１７ｂを循環する過程で、温蔵室１３を画成する隔壁１２と熱交換して該温蔵室１３を間接的に保温する。【選択図】　図１
2004041326.tif 000002
【特許請求の範囲】
【請求項１】
本体（１１）の内部に画成した風路（１４）の内側に、該風路（１４）とは非連通の温蔵室（１３）を画成し、加熱手段（２５）で加熱された温風を送風機（２４）の運転により前記風路（１４）に循環させることで、前記温蔵室（１３）を保温するよう構成した
ことを特徴とする温蔵庫。
【請求項２】
前記温蔵室（１３）の内壁面に複数の放熱材（２７）を設けた請求項１記載の温蔵庫。
【請求項３】
前記風路（１４）における温蔵室（１３）の上方に位置する上部空間（１７）に仕切板（２２）を配設して上下に分割し、該仕切板（２２）に形成した通孔（２９）に前記送風機（２４）のファン（２４ｂ）を配置した請求項１または２記載の温蔵庫。
【請求項４】
前記風路（１４）の全体を仕切部材（３１）により内側通路（３２）と外側通路（３３）とに仕切り、該仕切部材（３１）に形成した通孔（３４ａ）に前記送風機（２４）のファン（２４ｂ）を配置すると共に該ファン（２４ｂ）の回転により外側通路（３３）から吸込んだ空気を内側通路（３２）に吹出すよう設定し、この内側通路（３２）に前記加熱手段（２５）を配置した請求項１または２記載の温蔵庫。
【請求項５】
前記仕切部材（３１）における前記通孔（３４ａ）の形成位置から離間する位置に、前記内側通路（３２）と外側通路（３３）とを連通する連通部（３５ａ）を設けた請求項４記載の温蔵庫。
【請求項６】
前記送風機（２４）の運転時には前記連通部（３５ａ）を開放し、該送風機（２４）の運転停止時には連通部（３５ａ）を閉成する開閉手段（３７）を設けた請求項５記載の温蔵庫。
【発明の詳細な説明】
【０００１】
【発明の属する技術分野】
この発明は、温蔵室の外側に画成した風路に温風を循環することで、該温蔵室を間接的に保温するよう構成した温蔵庫に関するものである。
【０００２】
【従来の技術】
従来の温蔵庫は、本体の内部に、所要の空間を介して該空間と連通する温蔵室が画成されると共に、前記空間に送風機およびヒータが配設され、前記温蔵室に食器等の温蔵物が収納されるようになっている。そして、前記送風機を運転することで、ヒータと熱交換して加熱された温風を、空間から温蔵室の内部に吹出して強制循環させることで、該温蔵室内に収納した温蔵物を直接的に保温するよう構成されている。
【０００３】
【発明が解決しようとする課題】
前述したように従来の温蔵庫では、前記空間と温蔵室とが連通して温風が循環するよう構成されているため、温蔵庫の運転停止中に空間内で繁殖した雑菌が、温蔵庫の運転の再開によって温蔵室内に侵入する問題がある。また温蔵室を清掃するに際し、該温蔵室と前記空間との連通部を介して空間内に洗浄水等が入り込んでしまい、この洗浄水を除去するのが煩わしく、清掃作業が煩雑となっていた。
【０００４】
【発明の目的】
この発明は、従来の技術に係る温蔵庫に内在している前記課題に鑑み、これを好適に解決するべく提案されたものであって、温蔵室を常に衛生的に保ち得る温蔵庫を提供することを目的とする。
【０００５】
【課題を解決するための手段】
前記課題を克服し、所期の目的を達成するため、本発明に係る温蔵庫は、
本体の内部に画成した風路の内側に、該風路とは非連通の温蔵室を画成し、加熱手段で加熱された温風を送風機の運転により前記風路に循環させることで、前記温蔵室を保温するよう構成したことを特徴とする。
【０００６】
【発明の実施の形態】
次に、本発明の好適な実施例に係る温蔵庫につき、好適な実施例を挙げて、添付図面を参照して以下説明する。
【０００７】
【第１実施例】
図１は、第１実施例に係る温蔵庫を示すものであって、該温蔵庫１０は、箱状に形成された本体１１の内部に、隔壁１２により包囲された温蔵室１３が画成されると共に、該隔壁１２の外側には、本体１１の内壁との間に温蔵室１３とは非連通の風路１４が画成されている。すなわち、第１実施例の温蔵庫１０は、本体１１の内部に画成した風路１４の内側に温蔵室１３が画成された２重箱構造になっている。前記温蔵室１３の内部には、複数の棚１５が上下に所定間隔離間して多段的に配置され、各棚１５に、食器等の温蔵品１６が載置される。また本体１１の前側には、前記温蔵室１３に連通する開口部が開設されると共に、該開口部を開閉する扉（何れも図示せず）が配設されており、開口部を介して温蔵室１３に対する温蔵品１６の出し入れが行なわれるよう構成してある。
【０００８】
なお、前記棚１５における温蔵品１６の載置部１５ａは、図２に示す如く、上下に空気が流通しない平板状に形成され、温蔵室１３に複数の棚１５を配置した際に、上下の棚１５，１５間に空気が流通し難い小さな室が画成されるよう構成される。これにより、前記扉を開放した際の、温蔵室１３の空気と外気との入れ替わりを抑制し得るようになっている。
【０００９】
前記風路１４は、図１に示す如く、温蔵室１３の上方に画成される上部空間１７と、温蔵室１３の側方に画成されて上部空間１７と連通する左右の側部空間１８，１９および温蔵室１３の下方に画成されて両側部空間１８，１９と連通する底部空間２０とで構成される。上部空間１７は、仕切板２２を介して上下２段に分割され、上側の上分割路１７ａと下側の下分割路１７ｂとは、仕切板２２に形成された通孔部２３を介して連通するようになっている。また、上分割路１７ａが右側部空間（一方の側部空間）１８に連通すると共に、下分割路１７ｂが左側部空間（他方の側部空間）１９に連通するよう構成され、後述する送風機２４の運転時には、上分割路１７ａ→右側部空間１８→底部空間２０→左側部空間１９→下分割路１７ｂの順で温風が流通した後に、前記通孔部２３を介して上分割路１７ａに戻るよう構成される。
【００１０】
前記本体１１の上部外側に、送風機２４を構成するファンモータ２４ａが倒立配置されると共に、該モータ２４ａにより鉛直軸を中心として回転駆動されるファン２４ｂが、前記通孔部２３の直上の前記上分割路１７ａの内部に配置されている。また上分割路１７ａには、ファン２４ｂに近接して加熱手段としてのヒータ２５を配置してある。なお、送風機２４は、前記通孔部２３から下分割路１７ｂの空気を上分割路１７ａに吸込み、該空気をヒータ２５に向けて送風するよう設定されている。従って、送風機２４を運転することにより、下分割路１７ｂ側から上分割路１７ａ側に吸込んだ空気は、ヒータ２５に接触して加熱されて温風とされた後、前記右側部空間１８に流れ込むようになっている。そしてこの温風が、前記底部空間２０、左側部空間１９および下分割路１７ｂを循環する過程で、前記隔壁１２と熱交換して温蔵室１３を間接的に保温するよう構成される。
【００１１】
また、前記送風機２４およびヒータ２５は、温蔵室１３に配設した図示しない温度センサの検知温度に応じてＯＮ−ＯＦＦ制御され、温蔵室１３内を予め設定された設定温度に保持するよう運転される。
【００１２】
【第１実施例の作用】
次に、第１実施例に係る温蔵庫の作用について説明する。前記送風機２４の運転およびヒータ２５への通電を開始すると、前記下分割路１７ｂの空気は、送風機２４のファン２４ｂにより通孔部２３を介して上分割路１７ａに吸込まれて前記ヒータ２５に向けて送風され、ここで熱交換により加熱されて温風とされた後に、前記右側部空間１８に流れ込む。この右側部空間１８を下降した温風は、前記底部空間２０に流れ込み、次いで左側部空間１９に流れ込んだ後、この左側部空間１９を上昇して下分割路１７ｂに至り、再び上分割路１７ａに吸込まれるよう循環する。すなわち、右側部空間１８、底部空間２０、左側部空間１９および下分割路１７ｂを温風が流通しつつ前記隔壁１２と熱交換を行ない、これにより前記温蔵室１３は間接的に保温される。この結果として、該温蔵室１３に収納されている前記温蔵品１６が保温される。
【００１３】
第１実施例の温蔵庫１０は、温蔵品１６が収納される温蔵室１３と、温風が循環する風路１４とを非連通に構成しているから、該温蔵庫１０の運転停止中に風路１４で雑菌が繁殖したとしても、該雑菌が温風と共に温蔵室１３に侵入することはなく、温蔵品１６を常に衛生的に保ち得る。また温蔵室１３は独立して画成されているから、その清掃は簡単で、洗浄水等が風路１４に入ってしまうこともなく、メンテナンス性に優れる。
【００１４】
更に、前記送風機２４のファンモータ２４ａを本体外部に配置すると共に、ファン２４ｂを鉛直軸を中心として回転する（水平に旋回する）よう構成したから、温蔵室１３の大型化に伴って風量を稼ぐためにファン２４ｂの直径を大きくした場合であっても、上分割路１７ａの高さ寸法を大きくする必要はなく、機械寸法の大型化を抑制し得る。また、ファン２４ｂを鉛直軸を中心として回転するよう風路内に配置したので、本体外部のファンモータ２４ａとの連繋構造は簡単となる。
【００１５】
なお、第１実施例では、上下の棚１５，１５間の空気が移動し難く構成されているから、前記扉を開放したときに、温蔵室１３の空気と外気とが短時間で入れ替わるのは抑制される。すなわち、扉を開放した際における温蔵室１３の温度低下を抑制し、扉を閉成した後に設定温度まで短時間で復帰させることができる。また、棚１５の表面積は大きく、該棚１５自体が熱を持つ保温材としても機能するから、これによっても温度低下が抑制される。
【００１６】
【第２実施例】
図３は、第２実施例に係る温蔵庫を示すものであって、基本的な構成は前述した第１実施例と同一であるので、異なる部分についてのみ説明すると共に、同一部材には同じ符号を付して示すこととする。この第２実施例の温蔵庫２６においては、前記温蔵室１３を画成する隔壁１２の内側面および内底面、すなわち温蔵室１３の内壁面に、複数の板状の放熱材２７が配設されて、温蔵室１３での放熱面積を稼ぐよう構成してある。これにより、前記風路１４を循環する温風と熱交換して加熱された隔壁１２を介して放熱材２７も加熱され、該放熱材２７の温蔵室１３での放熱作用により、温蔵室１３を設定温度まで短時間で昇温させることができる。従って、第２実施例に係る温蔵庫２６では、前記扉の開放により温度低下した温蔵室１３を、設定温度まで昇温するのに要する時間を更に短縮し得る。
【００１７】
【第３実施例】
図４は、第３実施例に係る温蔵庫を示すものであって、基本的な構成は前述した第１実施例と同一であるので、異なる部分についてのみ説明すると共に、同一部材には同じ符号を付して示すこととする。すなわち、この第３実施例の温蔵庫２８においては、前記風路１４を構成する上部空間１７が仕切板２２により上下２段で分割されていることは同じであるが、上側の上分割路１７ａが左側部空間１９（他方の側部空間）に連通すると共に、下側の下分割路１７ｂが右側部空間（一方の側部空間）１８に連通するよう設定される。また仕切板２２に、上下の分割路１７ａ，１７ｂを連通する所要径の通孔２９が形成されており、この通孔２９内に、前記送風機２４のファン２４ｂが臨むよう構成されている。なお、ファン２４ｂを回転することにより、上分割路１７ａから吸込んだ空気を下分割路１７ｂに吹出すよう設定される。更に、前記温蔵室１３に近接する下分割路１７ｂに、前記ヒータ２５を配置してある。
【００１８】
【第３実施例の作用】
前述した第３実施例の温蔵庫２８によれば、前記送風機２４の運転およびヒータ２５への通電を開始すると、前記上分割路１７ａの空気は、送風機２４のファン２４ｂにより通孔２９を介して下分割路１７ｂに吹出され、該下分割路１７ｂに配置された前記ヒータ２５との熱交換により加熱されて温風とされる。この温風が、下分割路１７ｂ、右側部空間１８、底部空間２０および左側部空間１９を流通しつつ前記隔壁１２と熱交換を行ない、これにより前記温蔵室１３は間接的に保温される。
【００１９】
前記仕切板２２の通孔２９内にファン２４ｂを配置したことで、該ファン２４ｂによる空気吸込み側と吹出し側とが略完全に仕切られることとなり、熱交換後の温風と熱交換前の温風とが混合することはない。更に、前記温蔵室１３に近接する下分割路１７ｂにヒータ２５を配置したから、該ヒータ２５の熱が外部に逃げ難くなり、空気の効率的な加熱が図られ、従って温蔵室１３の効率的な保温が達成される。
【００２０】
【第４実施例】
図５は、第４実施例に係る温蔵庫を示すものであって、基本的な構成は前述した第１実施例と同一であるので、異なる部分についてのみ説明すると共に、同一部材には同じ符号を付して示すこととする。すなわち、この第４実施例の温蔵庫３０においては、前記温蔵室１３の外側に画成された風路１４の全体が、仕切部材３１により温蔵室１３に近接する内側通路３２と、温蔵室１３から離間する外側通路３３とに仕切られている。内側通路３２は、温蔵室１３の上方に画成される内側上部空間３２ａと、温蔵室１３の側方に画成されて内側上部空間３２ａと連通する左右の内側側部空間３２ｂ，３２ｃおよび温蔵室１３の下方に画成されて両内側側部空間３２ｂ，３２ｃと連通する内側底部空間３２ｄとで構成され、内側上部空間３２ａの温風は、両内側側部空間３２ｂ，３２ｃを介して内側底部空間３２ｄに流れ込むようになっている。また同様に、外側通路３３は、温蔵室１３の上方に画成される外側上部空間３３ａと、温蔵室１３の側方に画成されて外側上部空間３３ａと連通する左右の外側側部空間３３ｂ，３３ｃおよび温蔵室１３の下方に画成されて両外側側部空間３３ｂ，３３ｃと連通する外側底部空間３３ｄとで構成され、外側底部空間３３ｄの温風は、両外側側部空間３３ｂ，３３ｃを介して外側上部空間３３ａに流れ込むようになっている。
【００２１】
前記仕切部材３１における内外の上部空間３２ａ，３３ａを仕切る上部仕切板３４に、両上部空間３２ａ，３３ａを連通する所要径の通孔３４ａが形成されると共に、該仕切部材３１における内外の底部空間３２ｄ，３３ｄを仕切る下部仕切板３５に、両底部空間３２ｄ，３３ｄを連通する連通部３５ａが形成されている。すなわち、内側通路３２と外側通路３３とは、前記温蔵室１３を挟む上下に離間する位置においてのみ連通するよう構成される。また前記通孔３４ａ内に、前記送風機２４のファン２４ｂが配置されると共に、該ファン２４ｂを回転することにより外側上部空間３３ａから吸込んだ空気を内側上部空間３２ａに吹出すよう設定される。これにより、内側通路３２を上側から下側に向けて流れた温風が、前記連通部３５ａから外側通路３３に流れ込み、該外側通路３３を下側から上側に向けて流れるよう構成される。また、前記温蔵室１３に近接する内側上部空間３２ａに、前記ヒータ２５を配置してある。
【００２２】
【第４実施例の作用】
前述した第４実施例の温蔵庫３０によれば、前記送風機２４の運転およびヒータ２５への通電を開始すると、前記外側通路３３における外側上部空間３３ａの空気は、送風機２４のファン２４ｂにより通孔３４ａを介して内側通路３２における内側上部空間３２ａに吹出され、該上部空間３２ａに配置した前記ヒータ２５との熱交換により加熱されて温風とされる。この温風は、内側上部空間３２ａから両内側側部空間３２ｂ，３２ｃに流れ込み、該内側側部空間３２ｂ，３２ｃを流下した後に、内側底部空間３２ｄに流れ込む。そして、内側上部空間３２ａ、両内側側部空間３２ｂ，３２ｃおよび内側底部空間３２ｄを温風が流通しつつ前記隔壁１２と熱交換を行なうことで、前記温蔵室１３が間接的に保温される。
【００２３】
次に、前記内側底部空間３２ｄから連通部３５ａを介して外側底部空間３３ｄに温風が流れ込み、この温風は両外側側部空間３３ｂ，３３ｃを上昇して外側上部空間３３ａに流れ込んだ後に、前記ファン２４ｂの回転により再び前記内側上部空間３２ａに吹出されるよう循環する。
【００２４】
このように、前記風路１４を内外２重に仕切り、ヒータ２５により加熱されて温度の高い温風を温蔵室１３に近接する内側通路３２に流すよう構成したから、温風の外部への放熱は抑えられ、温蔵室１３の効率的な保温を達成し得る。また、内側上部空間３２ａから両内側側部空間３２ｂ，３２ｃに温風を流すよう構成したから、ヒータ２５による加熱後の温風が内側通路３２を流通する流路は短かく、温蔵室１３の熱交換効率が向上し、設定温度まで短時間で昇温させることができる。しかも、温蔵室１３を保温するための温風の循環距離が短かいから、温蔵室１３の全体を均一に保温し得る。
【００２５】
【第５実施例】
図６は、第５実施例に係る温蔵庫を示すものであって、基本的な構成は前述した第４実施例と同一であるので、異なる部分についてのみ説明すると共に、同一部材には同じ符号を付して示すこととする。この第５実施例の温蔵庫３６は、前記下部仕切板３５に形成された連通部３５ａを開閉可能に閉成する開閉手段としての開閉板３７を備えている。この開閉板３７は、下部仕切板３５における連通部３５ａの下方において、常にはバネ等の弾性部材３８により連通部３５ａを閉成する向きに付勢されている。そして、前記ファン２４ｂの回転により内側通路３２に温風が吹出された際の圧力により、該開閉板３７が弾性部材３８の弾力に抗して下部仕切板３５から離間して該連通部３５ａを開放するよう構成してある。
【００２６】
すなわち、第５実施例の温蔵庫３６においては、前記送風機２４の運転を開始することで内側通路３２の内圧が高まると、前記開閉板３７が弾性部材３８の弾力に抗して下部仕切板３５から離間して連通部３５ａを開放し、これにより温風が内側通路３２および外側通路３３を循環して前記温蔵室１３が間接的に保温される。また送風機２４の運転が停止されると、前記開閉板３７は弾性部材３８の弾力によって下部仕切板３５に押付けられ、前記連通部３５ａを閉成する。すなわち、温蔵庫３６の運転停止時においては、内側通路３２と外側通路３３とは上部仕切板３４に形成した通孔３４ａのみを介して連通しているから、温蔵室１３に近接する内側通路３２の空気（ヒータ２５により加熱された空気）は外側通路３３に移動することなく停留する。従って、機械停止後においても温蔵室１３を長時間に亘って保温することができ、再始動した際の設定温度までの昇温時間を短縮し得る。
【００２７】
なお、第５実施例のように風路内の圧力差により開閉板３７を開閉動作させる構成では、例えば送風機２４の電源を誤って逆相とした場合は、前記ファン２４ｂが逆回転して内側通路３２から外側通路３３へ空気を吹出すため、前記開閉板３７は連通部３５ａを閉成したままの状態となり、温蔵室１３が設定温度となるまでの時間が極めて長くなり、作業者は誤りに気付き易くなる。
【００２８】
前記開閉板３７を温蔵庫３６の運転開始・停止に連動して開閉動作させる手段としては、前述した圧力差を用いるものの他に、流体圧シリンダやモータ等の適宜の駆動手段を用いることができる。この場合は、開閉板３７を内側通路３２あるいは外側通路３３の何れの側にも配置することが可能となる。
【００２９】
なお、前述した第２〜第５の実施例に係る各温蔵庫２６，２８，３０，３６は、夫々前記第１実施例に係る温蔵庫１０と同様の作用を奏する。
【００３０】
【第６実施例】
図７は、第６実施例に係る温蔵庫を示すものであって、基本的な構成は前述した第１実施例と同一であるので、異なる部分についてのみ説明すると共に、同一部材には同じ符号を付して示すこととする。この第６実施例の温蔵庫３９では、前記風路１４は、前記温蔵室１３の周囲を１周するよう画成され、その上部空間１７が左右の側部空間１８，１９に連通している。また上部空間１７に送風機２４とヒータ２５とが配置され、該送風機２４は、ファン２４ｂを回転することで左側部空間１９側の空気を、右側部空間１８側へ吹出すよう設定される。なお、第６実施例の送風機２４では、前記ファン２４ｂは水平軸を中心として回転するよう設定される。
【００３１】
すなわち、第６実施例の温蔵庫３９では、前記送風機２４の運転およびヒータ２５への通電を開始すると、該ヒータ２５により加熱された温風は、上部空間１７、右側部空間１８、底部空間２０および左側部空間１９を循環し、この間に前記隔壁１２との間で熱交換を行ない、これにより前記温蔵室１３が間接的に保温される。この温蔵庫３９においても、前記第１実施例と同様に、風路１４からの雑菌の温蔵室１３への侵入を防止して温蔵品１６を常に衛生的に保ち得ると共に、該温蔵室１３のメンテナンス性も向上する。
【００３２】
【変更例】
第１〜第３および第６の各実施例においては、温風が風路を図面上での右回りで循環する場合で説明したが、上下の分割路の左右の側部空間との連通位置やファンの回転方向等を変更することで、温風を左回りで循環させる構成を採用し得る。また第２実施例で採用した放熱材を、第３〜第６の各実施例に採用することができる。
【００３３】
【発明の効果】
以上に説明した如く、請求項１に係る発明の温蔵庫によれば、温蔵室と、温風が循環する風路とを非連通に構成したから、風路から温蔵室への雑菌の侵入を防止でき、温蔵室を常に衛生的に保ち得る。また温蔵室の清掃が簡単で、メンテナンス性に優れる。請求項２に係る発明の温蔵庫によれば、温蔵室の内壁面に複数の放熱材を設けたので、温蔵室を効率的に保温することができる。請求項３に係る発明の温蔵庫によれば、風路の上部通路を上下に分割する仕切板の通孔内にファンを配置したことで、該ファンによる空気吸込み側と吹出し側とを略完全に仕切ることができ、温風を効率的に循環させ得る。
【００３４】
請求項４に係る発明の温蔵庫によれば、風路の全体を内外の通路に仕切り、内側通路に加熱手段を配置するよう構成したから、加熱されて温度の高い温風を温蔵室に近接する内側通路に流すことができ、温蔵室の効率的な保温を達成し得ると共に、温風の外部への放熱も抑えられる。請求項５に係る発明の温蔵庫によれば、内側通路と外側通路とを連通する通孔と連通部とを離間して設けたので、温蔵室の外側全体に亘って温風を流すことができ、温蔵室の略均一な保温を達成し得る。
【００３５】
請求項６に係る発明の温蔵庫によれば、送風機の運転停止時には前記連通部を開閉手段により閉成するよう構成したから、温蔵室に近接する内側通路に加熱された空気を停留させることができる。従って、機械停止後においても温蔵室を長時間に亘って保温することができ、再始動した際の設定温度までの昇温時間を短縮することが可能となる。
【図面の簡単な説明】
【図１】本発明の好適な第１実施例に係る温蔵庫の概略構成図である。
【図２】第１実施例に係る温蔵庫に配設される棚を示す平面図である。
【図３】第２実施例に係る温蔵庫の概略構成図である。
【図４】第３実施例に係る温蔵庫の概略構成図である。
【図５】第４実施例に係る温蔵庫の概略構成図である。
【図６】第５実施例に係る温蔵庫の概略構成図である。
【図７】第６実施例に係る温蔵庫の概略構成図である。
【符号の説明】
１１　本体，１３　温蔵室，１４　風路，１７　上部空間，２２　仕切板
２４　送風機，２４ｂ　ファン，２５　ヒータ（加熱手段），２７　放熱材
２９　通孔，３１　仕切部材，３２　内側通路，３３　外側通路，３４ａ　通孔
３５ａ　連通部，３７　開閉板（開閉手段）
【図１】
2004041326.tif 000003
【図２】
2004041326.tif 000004
【図３】
2004041326.tif 000005
【図４】
2004041326.tif 000006
【図５】
2004041326.tif 000007
【図６】
2004041326.tif 000008
【図７】
2004041326.tif 000009